(57)【要約】【課題】  耳掛付き眼鏡の上から装着した際に側頭部に違和感が生じたり、視界に悪影響を及ぼしたりすることもなく、しかも、軽量で太枠のプラスチック枠への取り付けも可能な二重装着式の保護メガネを提供すること。【解決手段】  耳掛付き眼鏡ＧのレンズＬ・Ｌに対応したレンズ11・11と；左右リム12・12と；左右の曲げ智14・14と；前記ブリッジ13、左右リム12・12及び左右の曲げ智14・14の上縁部に沿って内側に突き出した形状で形成されたトップフード部15と；このトップフード部15のブリッジ13及び左右リム12・12の後方にあたる位置に、下方に突出して設けられたストッパー片16・16…とを含んで保護メガネ本体１を構成すると共に、前記ストッパー片16・16…とブリッジ13及び左右リム12・12との間に、耳掛付き眼鏡Ｇのフロント枠Ｆを挿入可能なスペースを形成した。【選択図】  図２
2015108798.tif 000002
【特許請求の範囲】
【請求項１】
耳掛付き眼鏡(Ｇ)のフロント枠(Ｆ)に被せた状態で使用される二重装着式の保護メガネであって、
前記耳掛付き眼鏡(Ｇ)のレンズ(Ｌ)(Ｌ)に対応した形状を成す左右一対のレンズ(11)(11)と；これらのレンズ(11)(11)が装着された左右リム(12)(12)と；これら左右リム(12)(12)を中央で繋ぐブリッジ(13)と；前記左右リム(12)(12)の外側に形成された左右の曲げ智(14)(14)と；前記ブリッジ(13)、左右リム(12)(12)及び左右の曲げ智(14)(14)の上縁部に沿って内側に突き出した形状で形成されたトップフード部(15)と；このトップフード部(15)のブリッジ(13)及び左右リム(12)(12)の後方にあたる位置に、下方に突出して設けられたストッパー片(16)(16)…とを含んで成り、
前記ストッパー片(16)(16)…とブリッジ(13)及び左右リム(12)(12)との間に、耳掛付き眼鏡(Ｇ)のフロント枠(Ｆ)を挿入可能なスペースが形成されていることを特徴とする二重装着式の保護メガネ。
【請求項２】
少なくともブリッジ(13)後方にあたるストッパー片(16)が可撓性を有する板状に形成されると共に、当該ストッパー片(16)が、挿入された耳掛付き眼鏡(Ｇ)のフロント枠(Ｆ)が常時当接する位置に配置されて、挿入されたフロント枠(Ｆ)がストッパー片(16)によって前方に押圧された状態となっていることを特徴とする請求項１記載の二重装着式の保護メガネ。
【請求項３】
耳掛付き眼鏡(Ｇ)のフロント枠(Ｆ)に被せた状態で使用される二重装着式の保護メガネであって、
保護メガネ本体(１)が、前記耳掛付き眼鏡(Ｇ)のレンズ(Ｌ)(Ｌ)に対応した形状を成す左右一対のレンズ(11)(11)と；これらのレンズ(11)(11)が装着された左右リム(12)(12)と；これら左右リム(12)(12)を中央で繋ぐブリッジ(13)と；前記左右リム(12)(12)の外側に形成された左右の曲げ智(14)(14)と；前記ブリッジ(13)、左右リム(12)(12)及び左右の曲げ智(14)(14)の上縁部に沿って内側に突き出した形状で形成されたトップフード前部(18)とを含んで構成される一方、
前記保護メガネ本体(１)のトップフード前部(18)の後縁部には、トップフード後部(21)を形成するエラストマー製のゴムエッジ部材(２)が固定されると共に、このゴムエッジ部材(２)における保護メガネ本体(１)のブリッジ(13)及び左右リム(12)(12)の後方にあたる位置に、ストッパー片(22)(22)…が下方に突出して設けられて、当該ストッパー片(22)(22)…と保護メガネ本体(１)のブリッジ(13)及び左右リム(12)(12)との間に耳掛付き眼鏡(Ｇ)のフロント枠(Ｆ)を挿入可能なスペースが形成されていることを特徴とする二重装着式の保護メガネ。
【請求項４】
ゴムエッジ部材(２)の前縁部に、保護メガネ本体(１)のトップフード前部(18)の後縁部を嵌込み可能な嵌込溝(23)が設けられると共に、下向きの突起部(24a)を有する断面Ｌ型のフック片(24)が所定間隔で設けられて、当該フック片(24)の突起部(24a)を、保護メガネ本体(１)のトップフード前部(18)に配設された係止孔(18a)に挿入した状態で、ゴムエッジ部材(２)が保護メガネ本体(１)に着脱自在に固定されていることを特徴とする請求項２記載の二重装着式の保護メガネ。
【請求項５】
ゴムエッジ部材(２)の少なくともブリッジ(13)後方にあたるストッパー片(22)が可撓性を有する板状に形成されると共に、当該ストッパー片(22)が、保護メガネ本体(１)の間に挿入された耳掛付き眼鏡(Ｇ)のフロント枠(Ｆ)が常時当接する位置に配置されて、挿入されたフロント枠(Ｆ)がストッパー片(22)によって前方に押圧された状態となっていることを特徴とする請求項３または４に記載の二重装着式の保護メガネ。
【請求項６】
保護メガネ本体(１)の曲げ智(14)(14)の後端部に、耳掛付き眼鏡(Ｇ)のテンプル(Ｔ)に対応した形状の切欠部(14a)(14a)が形成されていることを特徴とする請求項３〜５の何れか一つに記載の二重装着式の保護メガネ。
【請求項７】
耳掛付き眼鏡(Ｇ)のフロント枠(Ｆ)に被せた状態で使用される二重装着式の保護メガネであって、
前記耳掛付き眼鏡(Ｇ)のレンズ(Ｌ)(Ｌ)に対応した形状を成す左右一対のレンズ(11)(11)と；これらのレンズ(11)(11)が装着された左右リム(12)(12)と；これら左右リム(12)(12)を中央で繋ぐブリッジ(13)と；前記左右リム(12)(12)の外側に形成された左右の曲げ智(14)(14)と；前記ブリッジ(13)、左右リム(12)(12)及び左右の曲げ智(14)(14)の上縁部に沿って内側に突き出した形状で設けられたトップフード部(15)と；このトップフード部(15)のブリッジ(13)後方にあたる位置に、下方に突出して設けられたストッパー片(16)とを含んで成り、
更に前記ストッパー片(16)とブリッジ(13)との間に、耳掛付き眼鏡(Ｇ)のフロント枠(Ｆ)を挿入可能なスペースが形成されると共に、前記左右の曲げ智(14)(14)に、耳掛付き眼鏡(Ｇ)のフロント枠(Ｆ)両側に形成された空隙(Ｓ)(Ｓ)に挿入可能な突起片(14b)(14b)が内向きに設けられていることを特徴とする二重装着式の保護メガネ。
【発明の詳細な説明】
【技術分野】
【０００１】
本発明は、保護メガネの改良、詳しくは、レンズ内側への花粉や埃等の侵入を防止することができ、また耳掛付き眼鏡の上から装着した際に側頭部に違和感が生じたり、視界に悪影響を及ぼしたりすることもなく、しかも、太枠のプラスチック枠に取り付ける場合でも固定部を大きくする必要のない二重装着式の保護メガネに関するものである。
【背景技術】
【０００２】
一般的に、眼鏡を装着した際には、レンズと目の間にスペースが空くため、花粉症の人が眼鏡を掛けて花粉の多い場所に行くと、レンズと目の間に花粉が入り込んで眼球に花粉が付着することで目が痒くなり易い。また同様の理由で、眼鏡を掛けて粉塵の多い場所に行くと、レンズと目の間に粉塵が入り込んで目に痛みが生じ易い
【０００３】
そこで、従来においては、花粉や粉塵の侵入を防ぐためのフード(覆い部)をリムの上縁部および下縁部に設けた保護メガネが開発されている。その中でも、テンプルを備えたオーバーグラス式の保護メガネは、保護メガネ単体で使用できるだけでなく、常用眼鏡の上から装着して使用することもできる(例えば、特許文献１参照)。
【０００４】
しかしながら、上記オーバーグラス式の保護メガネは、テンプルを備えた構造であったため、常用眼鏡の上から装着した際に、二重になったテンプルによって側頭部の圧迫感が増すだけでなく、二重になったテンプル同士が接触して度付きの常用眼鏡が位置ズレを起こすことにより、装着者の視界に悪影響を及ぼすこともあった。
【０００５】
一方、従来においては、常用眼鏡に装着するテンプルを持たないタイプの保護メガネも公知となっているが(例えば、特許文献２〜５参照)、文献２〜４に係る技術については、常用眼鏡のテンプルを保護メガネの固定部で掴む構造を採用していたため、常用眼鏡のテンプルの太さに応じて、保護メガネの固定部も大きくする必要があった。
【０００６】
また、上記文献５に係る技術に関しても、常用眼鏡のブリッジを保護メガネの固定部に係止する構造であったため、保護メガネの固定部の大きさを常用眼鏡のブリッジの太さに合わせる必要があった。そのため、上記従来の保護メガネでは、常用眼鏡に太枠のプラスチック枠を使用すると、固定部が大きくなって重量が過大になり易かった。
【先行技術文献】
【特許文献】
【０００７】
【特許文献１】実開平６−５５７３１号公報
【特許文献２】実開昭６１−２０６９１８号公報
【特許文献３】実開昭３−６２３１９号公報
【特許文献４】実開昭３−６２３２０号公報
【特許文献５】特開２００４−３２５５９０号公報
【発明の開示】
【発明が解決しようとする課題】
【０００８】
本発明は、上記の如き問題に鑑みて為されたものであり、その目的とするところは、レンズ内側への花粉や埃等の侵入を防止することができ、また耳掛付き眼鏡の上から装着した際に側頭部に違和感が生じたり、視界に悪影響を及ぼしたりすることもなく、しかも、軽量で太枠のプラスチック枠への取り付けも可能な二重装着式の保護メガネを提供することにある。
【課題を解決するための手段】
【０００９】
本発明者が上記課題を解決するために採用した手段を添付図面を参照して説明すれば次のとおりである。
【００１０】
即ち、本発明は、耳掛付き眼鏡Ｇのフロント枠Ｆに被せた状態で使用される二重装着式の保護メガネにおいて、
前記耳掛付き眼鏡ＧのレンズＬ・Ｌに対応した形状を成す左右一対のレンズ11・11と；これらのレンズ11・11が装着された左右リム12・12と；これら左右リム12・12を中央で繋ぐブリッジ13と；前記左右リム12・12の外側に形成された左右の曲げ智14・14と；前記ブリッジ13、左右リム12・12及び左右の曲げ智14・14の上縁部に沿って内側に突き出した形状で形成されたトップフード部15と；このトップフード部15のブリッジ13及び左右リム12・12の後方にあたる位置に、下方に突出して設けられたストッパー片16・16…とを含んで保護メガネ本体１を構成すると共に、
前記ストッパー片16・16…とブリッジ13及び左右リム12・12との間に、耳掛付き眼鏡Ｇのフロント枠Ｆを挿入可能なスペースを形成した点に特徴がある。
【００１１】
また、上記保護メガネ本体１に設けたストッパー片16については、少なくともブリッジ13後方のストッパー片16を可撓性を有する板状に形成すると共に、当該ストッパー片16を、挿入された耳掛付き眼鏡Ｇのフロント枠Ｆが常時当接する位置に配置して、挿入されたフロント枠Ｆをストッパー片16によって前方に押圧可能とすることで、装着した保護メガネ１のガタツキを抑制することができる。
【００１２】
また更に、本発明に係る二重装着式の保護メガネについては、上記構成に代えて、耳掛付き眼鏡ＧのレンズＬ・Ｌに対応した形状を成す左右一対のレンズ11・11と；これらのレンズ11・11が装着された左右リム12・12と；これら左右リム12・12を中央で繋ぐブリッジ13と；前記左右リム12・12の外側に形成された左右の曲げ智14・14と；前記ブリッジ13、左右リム12・12及び左右の曲げ智14・14の上縁部に沿って内側に突き出した形状で形成されたトップフード前部18とを含んで保護メガネ本体１を構成する一方、
前記保護メガネ本体１のトップフード前部18の後縁部に、トップフード後部21を形成するエラストマー製のゴムエッジ部材２を固定すると共に、このゴムエッジ部材２における保護メガネ本体１のブリッジ13及び左右リム12・12の後方にあたる位置に、ストッパー片22・22…を下方に突出して設けて、当該ストッパー片22・22…と保護メガネ本体１のブリッジ13及び左右リム12・12との間に耳掛付き眼鏡Ｇのフロント枠Ｆを挿入可能なスペースを形成する構成を採用することもできる。
【００１３】
また、上記構成を採用する場合には、ゴムエッジ部材２の前縁部に、保護メガネ本体１のトップフード前部18の後縁部を嵌込み可能な嵌込溝23を設けると共に、下向きの突起部24aを有する断面Ｌ型のフック片24を所定間隔で設けて、当該フック片24の突起部24aを、保護メガネ本体１のトップフード前部18に配設された係止孔18aに挿入可能とすることで、ゴムエッジ部材２を保護メガネ本体１に着脱自在に固定することもできる。
【００１４】
また更に、上記ゴムエッジ部材２のストッパー片22・22…については、少なくともブリッジ13後方にあたるストッパー片22を可撓性を有する板状に形成すると共に、当該ストッパー片22を、保護メガネ本体１の間に挿入された耳掛付き眼鏡Ｇのフロント枠Ｆが常時当接する位置に配置して、挿入されたフロント枠Ｆをストッパー片22によって前方に押圧可能とすることで、装着した保護メガネ１のガタツキを抑制できる。
【００１５】
そしてまた、上記保護メガネ本体１の曲げ智14・14の後端部には、耳掛付き眼鏡ＧのテンプルＴ・Ｔに対応した形状の切欠部14a・14aを形成して、この切欠部14a・14aにテンプルＴ・Ｔを挿入した状態で保護メガネ本体１を耳掛付き眼鏡Ｇに装着できるようにすることで、保護メガネ本体１の形態をコンパクト化できる。
【００１６】
他方また、本発明に係る二重装着式の保護メガネについては、上記構成に代えて、耳掛付き眼鏡ＧのレンズＬ・Ｌに対応した形状の左右一対のレンズ11・11と；これらのレンズ11・11が装着された左右リム12・12と；これら左右リム12・12を中央で繋ぐブリッジ13と；前記左右リム12・12の外側に形成された左右の曲げ智14・14と；前記ブリッジ13、左右リム12・12及び左右の曲げ智14・14の上縁部に沿って内側に突き出した形状で設けられたトップフード部15と；このトップフード部15のブリッジ13後方にあたる位置に、下方に突出して設けられたストッパー片16とを含んで保護メガネ本体１を構成する一方、
前記ストッパー片16とブリッジ13との間に、耳掛付き眼鏡Ｇのフロント枠Ｆを挿入可能なスペースを形成すると共に、前記左右の曲げ智14・14に、耳掛付き眼鏡Ｇのフロント枠Ｆ両側に形成された空隙Ｓ・Ｓに挿入可能な突起片14b・14bを内向きに設ける構成を採用することもできる。
【発明の効果】
【００１７】
本発明では、二重装着式の保護メガネにおいて、トップフード部の所定箇所(ブリッジと左右リムの後方)にストッパー片を設けて、ブリッジ等とストッパー片の間に耳掛付き眼鏡のフロント枠を挿入可能なスペースを形成することにより、耳掛付き眼鏡のフロント枠に被せて装着した保護メガネの脱落を３箇所のストッパー片で防ぐことができる。
【００１８】
また、トップフード部のブリッジ後方にストッパー片を設けると共に、左右の曲げ智の内側に、耳掛付き眼鏡のフロント枠の両側に形成された空隙に差込み可能な突起片を設けた場合にも、耳掛け付き眼鏡に装着した保護メガネの脱落を中央のストッパー片と両側の突起片によって防止することができる。
【００１９】
しかも、本発明では、保護メガネに上記構成を採用したことによって、設計時にトップフード部の奥行きを利用してストッパー片の前後位置を調節することができるため、もし装着する耳掛付き眼鏡が太枠のプラスチック枠であったとしても、固定部が大きくなって保護メガネの重量が過大になる心配もない。
【００２０】
また更に、本発明に係る保護メガネは、テンプルを持たない形態であるため、装着時にテンプルが二重になって装着者の側頭部に不快な違和感を生じさせる心配もなく、また、テンプル同士の接触もないため、内側に配置される耳掛付き眼鏡が位置ズレを起こして視界に悪影響を及ぼすこともない。
【００２１】
したがって、本発明により、トップフード部により花粉や粉塵による目の痒みや痛みを防止できるだけでなく、常用眼鏡の良好な視野を保持することができ、また着け心地にも優れ、しかも、プラスチック枠から成る耳掛付き眼鏡にも容易に対応できる二重装着式の保護メガネを提供できることから、本発明の実用的利用価値は頗る高い。
【図面の簡単な説明】
【００２２】
【図１】本発明の実施例１における耳掛付き眼鏡に装着された保護メガネを表わす全体側面図である。
【図２】本発明の実施例１における保護メガネを表わす全体上面図及び全体正面図である。
【図３】本発明の実施例１における保護メガネの構造を表わす端面図である。
【図４】本発明の実施例１における保護メガネを表わす全体下面図である。
【図５】本発明の実施例１における耳掛付き眼鏡に装着された保護メガネを表わす全体上面図、及び端面図である。
【図６】本発明の実施例２における耳掛付き眼鏡に装着された保護メガネを表わす全体上面図である。
【図７】本発明の実施例２における保護メガネ本体を表わす全体上面図及び全体正面図である。
【図８】本発明の実施例２におけるゴムエッジ部材を表わす全体上面図及び全体正面図である。
【図９】本発明の実施例２におけるゴムエッジ部材の構造を表わす端面図である。
【図１０】本発明の実施例２における耳掛付き眼鏡に装着された保護メガネを表わす端面図である。
【図１１】本発明の実施例２における耳掛付き眼鏡に装着された保護メガネを表わす全体側面図である。
【図１２】本発明の実施例３における耳掛付き眼鏡に装着された保護メガネを表わす全体上面図及び全体正面図である。
【図１３】本発明の実施例３における耳掛付き眼鏡に装着された保護メガネを表わす全体側面図である。
【図１４】本発明の実施例３における保護メガネ本体を表わす拡大斜視図である。
【発明を実施するための形態】
【００２３】
『実施例１』
本発明の実施例１について、図１〜図５に基いて説明する。なお同図において、符号Ｇで指示するものは、耳掛付き眼鏡であり、符号Ｆで指示するものは、耳掛け付眼鏡のフロント枠である。また符号Ｌで指示するものは、耳掛付き眼鏡のレンズであり、符号Ｔで指示するものは、耳掛付き眼鏡のテンプルである。また符号１で指示するものは、保護メガネ本体である。
【００２４】
まず実施例１では、図１に示すように耳掛付き眼鏡Ｇのフロント枠Ｆに被せた状態で使用される保護メガネ本体１を、耳掛付き眼鏡ＧのレンズＬ・Ｌに対応した形状を成す左右一対のレンズ11・11、これらのレンズ11・11が装着された左右リム12・12、これら左右リム12・12を中央で繋ぐブリッジ13、及び左右リム12・12の外側に形成された左右の曲げ智14・14を備えた形状で作製している(図２参照)。
【００２５】
なお本実施例では、上記耳掛付き眼鏡Ｇに、太枠のプラスチック製フロント枠ＦおよびテンプルＴ・Ｔから成るものを使用すると共に、保護メガネ本体１にも、プラスチック製のものを使用している。そして、上記保護メガネ本体１には、図３(a)に示すようにブリッジ13、左右リム12・12及び左右の曲げ智14・14の上縁部に沿って、内側に突き出した形状のトップフード部15を設けている。
【００２６】
そして更に、上記トップフード部15のブリッジ13及び左右リム12・12の後方にあたる位置には、図３(b)及び(c)に示すように、ストッパー片16・16…を下方に突出して設けている。また本実施例では、図４に示すように、左右リム12・12及び左右の曲げ智14・14の下縁部に沿って内側に突き出した形状のボトムフード部17・17も設けている。
【００２７】
また更に、上記トップフード部15に設けたストッパー片16・16…については、各ストッパー片16・16…とブリッジ13及び左右リム12・12との間に、耳掛付き眼鏡Ｇのフロント枠Ｆを挿入するスペースが形成されるように配置している。なお本実施例では、ブリッジ13後方のストッパー片16をトップフード部15の後縁部に、左右リム12・12後方のストッパー片16・16をトップフード部15の中間部に形成している。
【００２８】
これにより、図５に示すように、耳掛付き眼鏡Ｇのフロント枠Ｆを、ブリッジ13及び左右リム12・12とストッパー片16・16…との間に挟み込んだ状態で保護メガネ本体１に装着すれば、装着した保護メガネ本体１の耳掛付き眼鏡Ｇからの脱落をストッパー片16・16…によって防止することができる。
【００２９】
また、上記保護メガネ本体１に設けたストッパー片16については、ブリッジ13後方のストッパー片16を可撓性を有する板状に形成すると共に、このストッパー片16を、挿入された耳掛付き眼鏡Ｇのフロント枠Ｆが常時当接する位置に配置すれば、挿入されたフロント枠Ｆをストッパー片16によって前方に押圧可能とすることが可能となるため、装着した保護メガネ１のガタツキも抑制できる。
【００３０】
『実施例２』
本発明の実施例２について、図６〜図１１に基いて説明する。この実施例２では、保護メガネ本体１のブリッジ13、左右リム12・12及び左右の曲げ智14・14の上縁部に沿って内側に突き出した形状のトップフード前部18を設けると共に、この保護メガネ本体１のトップフード前部18に、エラストマー製のゴムエッジ部材２を固定してトップフード後部21を形成している(図６参照)。
【００３１】
そして、上記ゴムエッジ部材２における、保護メガネ本体１のブリッジ13及び左右リム12・12の後方にあたる位置に、ストッパー片22・22…を下方に突出して設けると共に、これらのストッパー片22・22…と保護メガネ本体１のブリッジ13及び左右リム12・12との間に耳掛付き眼鏡Ｇのフロント枠Ｆを挿入するスペースを形成している。
【００３２】
これにより、上記保護メガネ本体１のブリッジ13及び左右リム12・12とストッパー片22・22…との間に耳掛付き眼鏡Ｇのフロント枠Ｆを挿入することで、保護メガネ本体１の脱落を防止できる。また本実施例では、上記ゴムエッジ部材２が緩衝材として機能するため、装着時の安全性も高めることができる。
【００３３】
一方、本実施例では、上記ゴムエッジ部材２に劣化・損傷が生じた場合や、色違いのゴムエッジ部材２または異なるフロント枠Ｆに対応したゴムエッジ部材２を使用したい場合に交換を容易に行えるように、保護メガネ本体１のトップフード前部18に対してゴムエッジ部材２を脱着自在に固定している。
【００３４】
具体的には、図７に示すように、保護メガネ本体１のトップフード前部18に複数の係止孔18a・18a…を配設すると共に、ゴムエッジ部材２の前縁部に、図８及び図９(a)(b)に示すように、トップフード前部18の後縁部を嵌込み可能な嵌込溝23を設け、更に図９(c)に示すように、下向きの突起部24aを有する断面Ｌ型のフック片24を所定間隔で設けて、このフック片24の突起部24aを、前記係止孔17aに挿入して固定している。
【００３５】
また更に、本実施例では、保護メガネ本体１のトップフード前部18に設けた係止孔18aの孔縁に段差部18b・18b…を設けて、この段差部18b・18b…にゴムエッジ部材２のフック片24・24…を嵌め込むことによって、トップフード上面を面一にすると共に、ゴムエッジ部材２が保護メガネ本体１から簡単に外れないようにしている。
【００３６】
また更に、本実施例においては、図１０に示すように、上記ゴムエッジ部材２のストッパー片22・22…のブリッジ13後方にあたるストッパー片22を可撓性を有する板状に形成すると共に、このストッパー片22を、保護メガネ本体１の間に挿入された耳掛付き眼鏡Ｇのフロント枠Ｆが常時当接する位置に配置して、挿入されたフロント枠Ｆをストッパー片22で前方に押圧することによって、装着した保護メガネ１のガタツキを防止している。
【００３７】
そしてまた、本実施例では、上記保護メガネ本体１の曲げ智14・14の後端部に、図１１に示すように、耳掛付き眼鏡ＧのテンプルＴ・Ｔに対応した形状の切欠部14a・14aを形成して、この切欠部14a・14aにテンプルＴ・Ｔを挿入した状態で保護メガネ本体１を耳掛付き眼鏡Ｇに装着することで、保護メガネ本体１の左右幅を小さくしてサイズをコンパクト化している。
【００３８】
他方また、本実施例では、上記ゴムエッジ部材２の両側に複数のガス抜き孔25・25…を設けており、このガス抜き孔25・25…から保護メガネの内側に溜まった湿気を抜くことによって、装着時に保護メガネ本体１のレンズ11・11および耳掛付き眼鏡ＧのレンズＬ・Ｌが曇らないようにしている。
【００３９】
『実施例３』
本発明の実施例３について、図１２〜図１４に基いて説明する。この実施例２では、保護メガネ本体１に、ブリッジ13、左右リム12・12及び左右の曲げ智14・14の上縁部に沿って内側に突き出した形状のトップフード部15を設けると共に、このトップフード部15のブリッジ13後方にあたる位置のみに、下方に突出した形状のストッパー片16を設けている(図１２参照)。
【００４０】
なお、上記ストッパー片16とブリッジ13との間には、実施例１と同様に耳掛付き眼鏡Ｇのフロント枠Ｆを挿入可能なスペースを形成している。そして更に、本実施例では、図１３及び図１４に示すように、保護メガネ本体１の左右の曲げ智14・14に、耳掛付き眼鏡Ｇのフロント枠Ｆ両側に形成された空隙Ｓ・Ｓに挿入可能な突起片14b・14bを内向きに設けている。
【００４１】
これにより、保護メガネ本体１を耳掛付き眼鏡Ｇに装着した際、保護メガネ本体１のブリッジ13とストッパー片16の間にフロント枠Ｆが挿入されることで、保護メガネの前後位置を固定でき、また左右の曲げ智14・14に設けられた突起片14b・14bをフロント枠Ｆの空隙Ｓ・Ｓに差し込むことで、保護メガネの上下位置も固定できるため、保護メガネの脱落を防止できる。
【００４２】
本発明は、概ね上記のように構成されるが、本発明は図示の実施形態に限定されるものでは決してなく、「特許請求の範囲」の記載内において種々の変更が可能であって、例えば、保護メガネ本体１の材料には、プラスチック材料以外の木質材料や金属材料を使用することもでき、また耳掛付き眼鏡Ｇに、プラスチック枠以外のメタル枠等を使用することもできる。
【００４３】
また、保護メガネ本体１やゴムエッジ部材２に設けるストッパー片16・22の数や形状、角度、配置についても、保護メガネの脱落し難さを考慮して自由に変更することができ、特に当接面積を増やしたい場合には、ストッパー片16・22の形状を耳掛付き眼鏡Ｇのフロント枠Ｆの形状に合わせて湾曲させることもできる。
【００４４】
また更に、保護メガネ本体１のトップフード前部18とゴムエッジ部材２の脱着構造に関しても、実施例と異なる嵌合構造や係止構造を採用することもでき、またゴムエッジ部材２をトップフード前部18に接着して一体化することもでき、上記何れのものも本発明の技術的範囲に属する。
【産業上の利用可能性】
【００４５】
近年、花粉や粉塵、大陸から飛来する粒子状物質(PM2.5)によるアレルギー問題が増加しており、これらのアレルギー物質から目を守ることができる保護眼鏡の需要が大きくなっている。そのような中で、本発明の二重装着式の保護メガネは、花粉等をシャットアウトできるだけでなく、装着感も改善できる有用な技術であることから、その産業上の利用価値は非常に高い。
【符号の説明】
【００４６】
１  保護メガネ本体
11  レンズ
12  リム
13  ブリッジ
14  曲げ智
14a  切欠部
14b  突起片
15  トップフード部
16  ストッパー片
17  ボトムフード部
18  トップフード前部
18a  係止孔
18b  段差部
２  ゴムエッジ部材
21  トップフード後部
22  ストッパー片
23  嵌込溝
24  フック片
24a  突起部
25  ガス抜き孔
Ｇ  耳掛付き眼鏡
Ｆ  フロント枠
Ｔ  テンプル
Ｌ  レンズ
Ｓ  空隙
【図１】
2015108798.tif 000003
【図２】
2015108798.tif 000004
【図３】
2015108798.tif 000005
【図４】
2015108798.tif 000006
【図５】
2015108798.tif 000007
【図６】
2015108798.tif 000008
【図７】
2015108798.tif 000009
【図８】
2015108798.tif 000010
【図９】
2015108798.tif 000011
【図１０】
2015108798.tif 000012
【図１１】
2015108798.tif 000013
【図１２】
2015108798.tif 000014
【図１３】
2015108798.tif 000015
【図１４】
2015108798.tif 000016